(57)【要約】【課題】    撮影後に画角調整を容易に行うことができる画像処理装置を得る。【解決手段】  画像ファイル８０のタグ領域８０Ｂに電子ズーム情報（ズーム中心座標位置、ズーム倍率）を記憶させると共に、ズームされる前の全体画像データを互いに対応付けた状態で主画像領域８０Ｄに記憶させるようにすることで、ＬＣＤ上ではトリミングされた画像データ以外の画像データも主画像領域８０Ｄに記憶されることになる。  このため、全体画像データを基に画像データを編集することで、本来取得したかった被写体像の画像を、ズーム中心位置を変えてズームすることができ、画角を容易に調整することができる。【選択図】        図５
2005278003.tif 000002
【特許請求の範囲】
【請求項１】
撮像素子を用いて撮像した被写体像が表示されるモニタ表示部と、
該撮像により得られた前記被写体像の画像データが記録される記録媒体と、
前記被写体像のズーム倍率を変更する電子ズーム手段と、
前記電子ズーム手段によって、ズーム倍率が変更される前の全体画像データと、前記全体画像のズーム倍率を変更した際の電子ズーム情報と、を対応付けて前記記録媒体に記録させる制御手段と、
を有することを特徴とする画像処理装置。
【請求項２】
前記全体画像データを基に前記電子ズーム情報のズーム中心位置を変更可能な編集手段が設けられたことを特徴とする請求項１に記載の画像処理装置。
【請求項３】
前記制御手段が、前記全体画像データと対応付けて、前記編集手段で編集された編集データの電子ズーム情報を上書きして、前記記録媒体に記録させることを特徴とする請求項２に記載の画像処理装置。
【発明の詳細な説明】
【技術分野】
【０００１】
本発明は、デジタルスチルカメラなどで撮影された電子ズーム画像を処理する画像処理装置に関する。
【背景技術】
【０００２】
従来、液晶ディスプレイ等の表示手段を備えたデジタルスチルカメラやデジタルビデオカメラ等のデジタルカメラとして、撮影により記録された画像データによって示される画像をＬＣＤで表示した状態で、該デジタルカメラに設けられたスイッチ等の操作に応じて、ＬＣＤに表示された画像を電子ズームにより拡大することができるようになっている。
【０００３】
撮影時でのズーミング時の画角（撮影領域）は固定であるため、被写体の異なる他の部分について拡大したいときは、拡大したい部分を画角の中心にするため、デジタルカメラの向きを変える必要があり、面倒であった。
【０００４】
このような問題を解決するため、特許文献１では、ズーミング時にセンサのセンサ受光面（撮像面）での画角内で、水平方向及び垂直方向の読み出し開始アドレスをそれぞれ与えることで、演算処理によって画角内で得られた被写体像の任意の位置を基準として拡大表示させることができるようにしている。
【０００５】
しかしながら、デジタルカメラ内部でこのような演算処理を行うためには、多くの演算回路が必要となり、コストアップや消費電力の増加などの問題があり、また、ズーミング時の画角がそのまま記録されるため、撮影後における画角などの編集はできなかった。
【特許文献１】特開平１０−２７１３８１号公報
【発明の開示】
【発明が解決しようとする課題】
【０００６】
本発明は、撮影後に画角調整を容易に行うことができる画像処理装置を提供することを目的とする。
【課題を解決するための手段】
【０００７】
請求項１に記載の発明は、画像処理装置について、撮像素子を用いて撮像した被写体像が表示されるモニタ表示部と、該撮像により得られた被写体像の画像データが記録される記録媒体と、前記被写体像のズーム倍率を変更する電子ズーム手段と、前記電子ズーム手段によって、ズーム倍率が変更される前の全体画像データと、前記全体画像のズーム倍率を変更した際の電子ズーム情報と、を対応付けて前記記録媒体に記録させる制御手段と、を有することを特徴としている。
【０００８】
請求項１に記載の発明では、撮像素子を用いて撮像した被写体像はモニタ表示部によって表示され、該撮像により得られた被写体像の画像データは記録媒体によって記録される。一方、該被写体像のズーム倍率は電子ズーム手段によって変更されるが、この電子ズーム手段によってズーム倍率が変更される（ズームされる）前の全体画像データと、全体画像をズームした際の電子ズーム情報と、を対応付けて記録媒体に記録させている。
【０００９】
通常、デジタルカメラによって電子ズーム撮影を行う場合、ズーム中心位置座標を基準としてズーミングが行われ、撮像素子の撮像面全体の画角（撮像領域）の画像から、ズーム中心位置から離間する領域の画像を切り出し（トリミング）、また、ズーム倍率等によって記録画素数が不足する場合には、切り出した画像の画素数を補間処理により増加して記憶媒体に記録される。
【００１０】
ここで、誤った被写体を電子ズーム撮影したとき、トリミングされた画像データ以外の周辺の画像データは記録媒体に記録されないため、目的とする被写体の画像を取得できなくなる。
【００１１】
しかし、本発明では、全体画像をズームした際の電子ズーム情報に対応付けて、ズームされる前の全体画像データを記録媒体に記録させるようにすることで、モニタ表示部上ではトリミングされた画像データ以外の画像データも記録媒体に記録されることになる。このため、全体画像データを基に編集することで、本来取得したかった被写体像の画像を、ズーム中心位置を変えてズームすることができ、画角を容易に調整することができる。
【００１２】
請求項２に記載の発明は、請求項１に記載の画像処理装置において、前記全体画像データを基に前記電子ズーム情報のズーム中心位置を変更可能な編集手段が設けられたことを特徴としている。
【００１３】
請求項２に記載の発明では、全体画像データのズーム中心位置を変更可能な編集手段を設けることで、ズーム中心位置を間違えてズームを行った場合でも、記録媒体に記録された全体画像データを基に、ズーム中心位置を変更することができる。
【００１４】
請求項３に記載の発明は、請求項２に記載の画像処理装置において、前記制御手段が、前記全体画像データと対応付けて、前記編集手段で編集された編集データの電子ズーム情報を上書きして、前記記録媒体に記録させることを特徴としている。
【００１５】
請求項３に記載の発明では、制御手段によって、全体画像データと対応付けて、編集手段で編集された編集データの電子ズーム情報を、編集手段で編集する前の電子ズーム情報に上書きして記録媒体に記録させることで、全体画像データを基に正しい電子ズーム情報で画像データが表示されることとなる。
【発明の効果】
【００１６】
請求項１に記載の発明では、全体画像をズームした際の電子ズーム情報に対応付けて、ズームされる前の全体画像データを記録媒体に記録させるようにすることで、モニタ表示部上ではトリミングされた画像データ以外の画像データも記録媒体に記録されることになる。このため、全体画像データを基に編集することで、画角を調整することができ、本来取得したかった被写体像の画像を、ズーム中心位置を変えてズームすることができる。
【００１７】
請求項２に記載の発明では、全体画像データのズーム中心位置を変更可能な編集手段を設けることで、ズーム中心位置を間違えてズームを行った場合でも、記録媒体に記録された全体画像データを基に、ズーム中心位置を変更することができる。
【００１８】
請求項３に記載の発明では、制御手段によって、全体画像データと対応付けて、編集手段で編集された編集データの電子ズーム情報を、編集手段で編集する前の電子ズーム情報に上書きして記録媒体に記録させることで、全体画像データを基に正しい電子ズーム情報で画像データが表示されることとなる。
【発明を実施するための最良の形態】
【００１９】
以下、図面を参照して、本発明の実施の形態について詳細に説明する。なお、本実施の形態では、本発明の画像処理装置を、デジタルスチルカメラ（以下、単に「デジタルカメラ」という。）に適用した場合の形態について説明する。まず、図１を参照して、本実施の形態に係るデジタルカメラ１０の外観上の構成を説明する。
【００２０】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）６０と、電源スイッチ６６と、が備えられている。
【００２１】
なお、本実施の形態に係るレリーズボタン６０は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２２】
また、本実施の形態に係るデジタルカメラ１０は、静止画像の撮影の他、動画像の撮影も行うことができるように構成されており、静止画像の撮影を行う際には、レリーズボタン６０を半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２３】
これに対し、動画像の撮影を行う際には、レリーズボタン６０を全押し状態とすることによって動画像の撮影が開始され、レリーズボタン６０の押下状態を一旦未押下位置まで戻した後、再度全押し状態とすることによって当該動画像の撮影が停止されるように構成されている。このように、本実施の形態に係るデジタルカメラ１０では、動画像の撮影を開始するときにレリーズボタン６０を全押し状態とし、当該撮影を停止するときに再度レリーズボタン６０を全押し状態とするものであるが、これに限らず、レリーズボタン６０を全押し状態としている期間中に動画像の撮影を行う形態とすることもできる。
【００２４】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ６２と、ＬＣＤ３０の表示領域における上下左右の４方向の移動方向を示す４つの矢印キー及び当該４つの矢印キーの中央部に位置された決定キー６４Ａの合計５つのキーを含んで構成された十字カーソルボタン６４と、ＬＣＤ３０にメインメニュー画面を表示する際に押圧操作されるメニューキー６５と、メニュー画面で指定された処理を終了する際に押圧操作される終了キー６７と、撮影時に被写体像のズーミング（拡大及び縮小）を行うときに操作されるズームボタン６８と、が備えられている。
【００２５】
なお、ズームボタン６８は、同図の‘Ｔ’の位置に対応し、かつ被写体像を拡大（ズーム・イン）するときに操作されるテレ・ボタンと、同図の‘Ｗ’の位置に対応し、かつ被写体像を縮小（ズーム・アウト）するときに操作されるワイド・ボタンと、を含んで構成されている。
【００２６】
一方、デジタルカメラ１０の底面には、外部装置と所定のインタフェース規格（本実施の形態では、ＵＳＢ（Universal Serial Bus））により電気的に接続するために用いられるレセプタクル７２が設けられている。
【００２７】
次に、図２を参照して、本実施の形態に係るデジタルカメラ１０の電気系の構成を説明する。
【００２８】
同図に示すように、デジタルカメラ１０は、前述のレンズ１２を含んで構成された光学ユニット１３と、レンズ１２の光軸後方に配設されたＣＣＤ（Charge Coupled Device）１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端はＣＤＳ１６の入力端に、ＣＤＳ１６の出力端はＡＤＣ１８の入力端に、各々接続されている。
【００２９】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３０】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに対して圧縮処理を施す一方、圧縮処理されたデジタル画像データに対して圧縮形式に応じた伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号。）を生成してビデオ出力端子ＯＵＴに出力するビデオ／ＬＣＤエンコーダ２８と、を含んで構成されている。なお、画像入力コントローラ２０の入力端はＡＤＣ１８の出力端に接続されている。
【００３１】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００３２】
更に、デジタルカメラ１０は、スマートメディア（Smart Media（Ｒ））により構成された記録メディア４２Ａ及びマイクロドライブにおける記録メディア４２Ｂをデジタルカメラ１０でアクセス可能とするためのメディアコントローラ４２と、前述のレセプタクル７２に接続されると共にＵＳＢ規格による外部との間の通信を司るＵＳＢインタフェース４６と、を含んで構成されている。
【００３３】
以上の画像入力コントローラ２０、画像信号処理回路２２、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、及びＵＳＢインタフェース４６は、各々、システムバスＢＵＳを介して相互に接続されている。
【００３４】
従って、ＣＰＵ３２は、画像入力コントローラ２０、画像信号処理回路２２、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、記録メディア４２Ａ、及び記録メディア４２Ｂへのアクセスと、レセプタクル７２に接続された外部装置との相互通信と、を各々行うことができる。
【００３５】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端はＣＰＵ３２に、出力端はＣＣＤ１４に、各々接続されており、ＣＣＤ１４の駆動は、ＣＰＵ３２によりタイミングジェネレータ４８を介して制御される。
【００３６】
更に、ＣＰＵ３２はモータ駆動部５０の入力端に接続され、モータ駆動部５０の出力端は光学ユニット１３に備えられたズームモータ１３Ａ及び焦点調整モータ１３Ｂに接続されている。
【００３７】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構にズームモータ１３Ａ及び焦点調整モータ１３Ｂは含まれるものであり、ズームモータ１３Ａ及び焦点調整モータ１３Ｂは各々ＣＰＵ３２の制御下でモータ駆動部５０から供給された駆動信号によって駆動される。
【００３８】
ＣＰＵ３２は、光学ズーム倍率を変更する際には、ズームモータ１３Ａを駆動制御して光学ユニット１３に含まれるレンズの焦点距離を変化させる。このとき、ズーム制御処理回路７４によって、電子ズームによる電子ズーム情報（ズーム中心位置座標、ズーム倍率等）が算出される（なお、電子ズームは、デジタルズームとも呼ばれるものであるが、本明細書では「電子ズーム」と統一して記載する）。
【００３９】
そして、該電子ズーム情報が、情報付加処理回路７６によって、画像ファイル（後述する）のフォーマットに従って、画像データ毎にその他の撮影情報に付加された状態が、記録メディア４２Ａに記憶される。
【００４０】
また、ＣＰＵ３２は、ＣＣＤ１４による撮像によって得られた画像のコントラスト値が最大となるように焦点調整モータ１３Ｂを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４１】
更に、前述のレリーズボタン６０、モード切替スイッチ６２、十字カーソルボタン６４、電源スイッチ６６、メニューキー６５、終了キー６７、及びズームボタン６８の各種ボタン類及びスイッチ類（同図では、「操作部５２」と総称。）はＣＰＵ３２に接続されており、ＣＰＵ３２は、これらのボタン類及びスイッチ類に対する操作状態を常時把握できる。
【００４２】
レンズ１２が本発明のレンズに、ＬＣＤ３０が本発明の表示手段に、ズームボタン６８が本発明の電子ズーム手段に、ＣＰＵ３２が本発明の制御手段に、各々相当する。
【００４３】
なお、本実施の形態に係るデジタルカメラ１０による撮影によって得られたデジタル画像データは、例えば、Ｅｘｉｆ規格のような電子化ファイル（画像ファイル）として記録メディア４２Ａに記憶される。そして、メニューキー６５（図1参照）の押圧操作に応じてＬＣＤ３０に表示されるメインメニュー画面上で画像ファイルに含まれるタグ領域に記憶させる情報を予め設定しておくことにより、それ以降の撮影によって得られた画像ファイルのタグ領域に当該情報を記憶させることができる。
【００４４】
すなわち、図３に示すように、本実施の形態に係るデジタルカメラ１０において、撮影により得られ記録メディア４２Ａに記憶される画像ファイル８０には、例えば、スタートコード領域８０Ａ、タグ領域８０Ｂ、サムネイル画像領域８０Ｃ、及び主画像領域８０Ｄが含まれている。ここで、タグ領域８０Ｂには、メインメニュー画面上で予め設定された各種情報が記憶されることになる。
【００４５】
なお、タグ領域８０Ｂに記憶可能な情報として、本実施の形態では、当該画像ファイル８０を得るための撮影に関する撮影情報（電子ズーム情報、ストロボの発光／未発光を示す情報、絞りの状態を示す情報、撮影日時を示す情報等）が、主画像領域８０Ｄに記憶される画像データに対応付けて予め設定できるものとして構成されている。
【００４６】
次に、本実施の形態に係るデジタルカメラ１０の作用を説明する。まず、撮影モードが設定されている場合の全体的な処理の流れについて説明する。
【００４７】
まず、図２に示すＣＣＤ１４による光学ユニット１３を介した撮像が行われ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００４８】
画像入力コントローラ２０は内蔵しているラインバッファにＡＤＣ１８から順次入力されるデジタル画像データを蓄積して一旦第２メモリ４０の所定領域に格納する。
【００４９】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることで、ホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成して、ＹＣ信号を第２メモリ４０の上記所定領域とは異なる領域に格納する。
【００５０】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、ビデオ／ＬＣＤエンコーダ２８を介して順次ＬＣＤ３０に出力する。これによってＬＣＤ３０にスルー画像が表示されることになる。
【００５１】
ここで、レリーズボタン６０の全押し（動画像の撮影が開始）を行い、レリーズボタン６０の押下状態を一旦未押下位置まで戻した後、再度全押し（動画像の撮影が停止）を行うまでの間、或いは、レリーズボタン６０の半押し（ＡＥ（自動露出）機能が働いて露出状態（シャッタースピード、絞りの状態）が設定）を行った後、ＡＦ（自動合焦）機能が働いて合焦制御され、その後、引き続き全押し（静止画像の撮影）を行った場合、露光（撮影）が行われる。
【００５２】
このように、露光（撮影）が行われた場合、この時点で第２メモリ４０に格納されているＹＣ信号を、圧縮・伸張処理回路２４によって所定の圧縮形式（例えば、本実施の形態では、静止画像の圧縮方式としては、例えばＪＰＥＧ（Joint Photographic coding Experts Group）が用いられ、動画像の圧縮方式としてはＭＰＥＧ（Moving Picture coding Experts Group）が用いられる）で圧縮した後に記録メディア４２Ａに画像ファイル８０として記憶される。
【００５３】
この際、当該画像ファイル８０のタグ領域８０Ｂには、予めメインメニュー画面上でタグ領域８０Ｂに記憶すべき情報として予め設定された撮影条件及び電子ズーム情報が記憶され、主画像領域８０Ｄにはタグ領域８０Ｂで記憶された撮影条件及び電子ズーム情報と対応付けられて画像データが記憶される。
【００５４】
ここで、記憶される画像データが、ズームされていない画像データの場合、該画像データがそのまま主画像領域８０Ｄに記憶されるが、電子ズームによりズームされた画像データの場合は、該画像データに変わって、ズームされる前の画像データ（全体画像データ）が主画像領域８０Ｄに記憶されることとなる。つまり、電子ズームによりズームされた場合、ＬＣＤ３０上ではトリミングされた画像データ以外の画像データも主画像領域８０Ｄに記録されることとなる（後述する）。
【００５５】
次に、動画撮影モードが設定されている場合の全体的な処理の流れについて、図２を参照しつつ図４に従って説明する。なお、図４は、動画撮影モードが設定されているときにデジタルカメラ１０のＣＰＵ３２により実行される動画撮影処理プログラムの処理の流れを示すフローチャートである。また、ここでは、電子ズームとの混同を避けるため、便宜上、光学ズームに関する内容は省略するものとする。
【００５６】
まず、ステップ１００では、デジタルカメラ１０のレリーズボタン６０（図１参照）の操作待ちを行い、レリーズボタン６０が全押しされると、ステップ１０２へ移行する。ステップ１０２では、画像ファイル８０のタグ領域８０Ｂに電子ズーム情報等の撮影条件が記憶され、次のステップ１０４では、ステップ１０２で記憶された電子ズーム情報に対応して、画像データが主画像領域８０Ｄに記憶される。
【００５７】
ここで、電子ズーム撮影した場合、ズームされる前の全体画像の画像データ（全体画像データ）が主画像領域８０Ｄに記憶される。そして、ステップ１０６へ移行し、レリーズボタン６０が全押しされるまで、ステップ１０２へ戻り、動画撮影処理が継続される。このとき、例えば、図５に示すように、各画像（フレーム８１Ａ、８１Ｂ、…８１Ｎ）毎で、各撮影条件及び画像データが記憶され、互いに対応付けされる。そして、ステップ１０６において、レリーズボタン６０が全押しされると、動画撮影処理は終了する。
【００５８】
一方、図６は、電子ズーム編集処理プログラムの流れを示すフローチャートである。ステップ１１０において、デジタルカメラ１０のモード切替スイッチ６２のモード切替えによって、撮影で得られた画像データにより示される被写体像（画像）をＬＣＤ３０に表示（再生）する再生モードに設定し、デジタルカメラ１０の十字カーソルボタン６４（図１参照）の中央部に位置する決定キー６４Ａを押圧して動画像再生を開始する（図７（Ａ）〜（Ｃ）参照）。ここで、図７（Ａ）〜（Ｃ）はそれぞれ図中右側がＬＣＤ３０で表示される画像を示し、図中左側は画像ファイル８０の主画像領域８０Ｄに記憶された画像データによる画像を示している。
【００５９】
動画像再生において、記録メディア４２Ａに記憶された画像ファイル８０（図５参照）の各フレーム８１毎で互いに対応付けされたタグ領域８０Ｂ及び主画像領域８０Ｄにそれぞれ記憶された撮影条件及び画像データによってＬＣＤ３０上で再生される。
【００６０】
ここで、電子ズーム撮影が為された場合、主画像領域８０Ｄにはズームされる前の画像データ（全体画像データ）が記憶されているが、該画像データに基づいて、ズーム中心位置座標及びズーム倍率などの電子ズーム情報によってズームされた画像がＬＣＤ３０上で再生されることとなる。
【００６１】
次に、デジタルカメラ１０の決定キー６４Ａ（図１参照）を押圧して、ステップ１１２で画像の指定を行うと、ステップ１１４へ移行し、動画像再生が停止する。そして、ステップ１１６へ移行し、画像ファイル８０のタグ領域８０Ｂに記憶された該画像の電子ズーム情報の読み出しを行う。
【００６２】
次に、ステップ１１８へ移行し、電子ズーム情報があるか否かが判定される。否定判定された場合（図７（Ａ）、（Ｂ）を指定した場合）、ステップ１２０へ移行し、例えば、「編集できません」など、編集不可報知がＬＣＤ３０上でなされ、電子ズーム編集処理は終了する。
【００６３】
一方、ステップ１１８で肯定判定された場合（図７（Ｃ）を指定した場合）、ステップ１２２へ移行し、ＬＣＤ３０上では全体画像と共に電子ズーム枠８２が表示される（図７（Ｄ）の画像８４）。この状態で、該電子ズーム枠８２が適切であると判断すれば終了キー６７が押圧されることとなるが、ステップ１２４において、終了キー６７が押されたか否かが判定され、肯定判定された場合、ステップ１２６へ移行して電子ズーム情報が更新され（図７（Ｄ）の画像８６）、電子ズーム編集処理は終了する。
【００６４】
一方、全体画像と共に電子ズーム枠８２が表示された状態（図７（Ｄ）の画像８４）で、十字カーソルボタン６４またはズームボタン６８を操作すると、それぞれ電子ズーム枠８２の位置（ズーム中心座標位置）、或いは大きさ（ズーム倍率）が変更される。このため、ステップ１２４で否定判定された場合、ステップ１２８へ移行して、電子ズーム枠８２の位置等を変更し、電子ズーム情報を更新して（図７（Ｄ）の画像８８）、ステップ１２４へ戻る。
【００６５】
通常、デジタルカメラ１０によってズーム撮影を行った場合、図８（Ａ）〜（Ｃ）に示すように、ＬＣＤで表示される画像がそのまま主画像領域に記憶され、撮像素子の撮像面全体の画角（撮像領域）の画像から、ズーム中心位置から離間する領域の画像を切り出し（トリミング）される（図８（Ｄ）参照）。
【００６６】
ここで、誤った被写体を電子ズーム撮影したとき、トリミングされた画像データ以外の周辺の画像データ（ハッチング部分）は主画像領域に記録されないため、目的とする被写体の画像を取得できなくなる。
【００６７】
しかし、本発明のように、画像ファイル８０のタグ領域８０Ｂに電子ズーム情報（ズーム中心座標位置、ズーム倍率）を記憶させると共に、ズームされる前の全体画像データ（（図７（Ｄ）の画像８４）を互いに対応付けた状態で主画像領域８０Ｄに記憶させるようにすることで、ＬＣＤ３０上ではトリミングされた画像データ以外の画像データも主画像領域８０Ｄに記憶されることになる。
【００６８】
このため、全体画像データ（画像８４）を基に画像データを編集する（画像８６→画像８８）ことで、画角を調整することができ、本来取得したかった被写体の画像を、ズーム中心位置を変えてズームすることができる。
【００６９】
また、図６に示す電子ズーム編集処理プログラムを実行することで編集された編集データ（図７（Ｄ）の画像８８）を、全体画像データ（図７（Ｄ）の画像８４）と対応付けて編集前の画像データ（図７（Ｄ）の画像８６）に上書きして、図５に示す画像ファイル８０の主画像領域８０Ｄに記憶させることで、ＬＣＤ３０には該編集データ（図７（Ｄ）の画像８８）が表示されることとなる。
【００７０】
なお、本実施の形態では、電子ズーム情報を画像ファイル８０のタグ領域８０Ｂに記憶させる場合について説明したが、本発明はこれに限定されるものではなく、例えば、画像ファイルのファイル名に含めておく形態や、画像ファイルとは別の電子化ファイル（一例としてテキスト・ファイル）により、対応する画像ファイルに関連付けて記憶しておく形態とすることもできる。この場合も、本実施の形態と同様の効果を奏することができる。
【００７１】
また、本実施の形態に係るデジタルカメラ１０の構成（図１及び図２参照）は一例であり、本発明の主旨を逸脱しない範囲内において適宜変更可能であることは言うまでもない。
【００７２】
更に、本実施の形態において説明した、動画撮影モードが設定されている場合にデジタルカメラ１０のＣＰＵ３２により実行される動画撮影処理プログラム（図４参照）は一例であり、本発明の主旨を逸脱しない範囲内において適宜変更可能であることは言うまでもない。
【００７３】
また、本実施の形態ではデジタルカメラ１０のＬＣＤ３０上で電子ズーム編集を行ったが、ＵＳＢによりデジタルカメラ１０とパーソナルコンピュータ（ＰＣ）、ＴＶなどの外部装置とを接続して、外部装置による操作によって電子ズーム編集を行っても良い。
【００７４】
また、本実施の形態では、動画像に対して電子ズーム編集処理を施す場合について説明したが、本発明はこれに限定されるものではなく、静止画像に対して電子ズーム編集処理を施す形態とすることもできることは言うまでもない。
【図面の簡単な説明】
【００７５】
【図１】本発明の実施の形態に係るデジタルカメラを示す外観図である。
【図２】本発明の実施の形態に係るデジタルカメラの電気系の構成を示すブロック図である。
【図３】本発明の実施の形態に係るデジタルカメラの記録メディアの記録領域を示す模式図である。
【図４】本発明の実施の形態に係るデジタルカメラの動画撮影処理プログラムの処理の流れを示すフローチャートである。
【図５】本発明の実施の形態に係るデジタルカメラの記録メディアの記録領域の詳細を示す模式図である。
【図６】本発明の実施の形態に係る電子ズーム編集処理プログラムの処理の流れを示すフローチャートである。
【図７】（Ａ）〜（Ｄ）は、本発明の実施の形態に係るデジタルカメラによる連続する動画像の電子ズーム編集方法を示す説明図である。
【図８】図７との比較説明図である。
【符号の説明】
【００７６】
１０    デジタルカメラ
３０    ＬＣＤ（モニタ表示部）
４２Ａ  記録メディア（記録媒体）
６８    ズームボタン（電子ズーム手段）
７４    ズーム制御処理回路
７６    情報付加処理回路
【図１】
2005278003.tif 000003
【図２】
2005278003.tif 000004
【図３】
2005278003.tif 000005
【図４】
2005278003.tif 000006
【図５】
2005278003.tif 000007
【図６】
2005278003.tif 000008
【図７】
2005278003.tif 000009
【図８】
2005278003.tif 000010